(57)【要約】【課題】印刷媒体に対して画像が見栄え良く印刷されるようにする。【解決手段】情報処理装置１０は、表示部１３と、入力部１４ａと、制御部とを備える。制御部は、画像オブジェクト６０、及び、印刷媒体に設けられた印刷対象領域内に画像オブジェクト６０を印刷させるために画像オブジェクト６０を配置可能な領域を、入力部１４ａを介して選択させる。制御部は、印刷媒体における印刷対象領域を示す対象領域画像５１を表示部１３に表示させ、その対象領域画像５１内のうち上記選択された配置可能な領域に対応するオブジェクト領域５３に、選択された画像オブジェクト６０を配置させる。さらに、制御部は、画像オブジェクト６０における周縁６１をぼかすぼかし処理を行う。【選択図】図３
2019103105.tif 000002
【特許請求の範囲】
【請求項１】
表示部と、
入力部と、
制御部と、
を備えた情報処理装置において前記制御部が実行可能な画像処理プログラムであって、
前記制御部に、
印刷媒体に設けられた印刷対象領域内に画像オブジェクトを印刷させるために前記画像オブジェクトを配置可能な領域を、前記入力部を介して選択させる領域選択処理と、
前記入力部を介して前記画像オブジェクトを選択させるオブジェクト選択処理と、
前記印刷媒体における前記印刷対象領域を示す対象領域画像を前記表示部に表示させ、その対象領域画像内のうち前記領域選択処理により選択された領域に対応するオブジェクト領域に、前記オブジェクト選択処理で選択された前記画像オブジェクトを配置させるオブジェクト配置処理と、
前記画像オブジェクトにおける周縁をぼかすぼかし処理と、
を実行させる画像処理プログラム。
【請求項２】
請求項１に記載の画像処理プログラムであって、
前記ぼかし処理は、前記画像オブジェクトの周縁のうち、前記オブジェクト領域内における前記画像オブジェクト以外の余白領域に接する範囲をぼかすように構成されている、
画像処理プログラム。
【請求項３】
請求項１又は請求項２に記載の画像処理プログラムであって、
さらに、前記制御部に、
前記オブジェクト領域内における前記画像オブジェクト以外の余白領域に特定の余白色を配色する余白処理、
を実行させ、
前記ぼかし処理は、前記余白色を用いてぼかすように構成されている
画像処理プログラム。
【請求項４】
請求項３に記載の画像処理プログラムであって、
前記ぼかし処理は、前記画像オブジェクトに対し、特定の透過率で前記画像オブジェクトが透過して表示されるように前記余白色を重畳させる
画像処理プログラム。
【請求項５】
請求項４に記載の画像処理プログラムであって、
前記ぼかし処理は、前記画像オブジェクトの外周端から前記画像オブジェクトの内部に向けて前記透過率を増加させるように構成されている
画像処理プログラム。
【請求項６】
請求項１〜請求項５のいずれか１項に記載の画像処理プログラムであって、
前記ぼかし処理は、前記画像オブジェクトの外周端から特定の幅の領域をぼかすように構成されている、
画像処理プログラム。
【請求項７】
請求項６に記載の画像処理プログラムであって、
さらに、前記制御部に、
前記オブジェクト領域内の前記画像オブジェクトの大きさに応じて前記特定の幅を算出する幅算出処理、
を実行させ、
前記ぼかし処理は、前記画像オブジェクトの外周端から、前記幅算出処理により算出された前記特定の幅の領域をぼかすように構成されている、
画像処理プログラム。
【請求項８】
請求項７に記載の画像処理プログラムであって、
さらに、前記制御部に、
前記入力部を介して入力される編集操作に応じて、前記表示部に表示されている前記画像オブジェクトを移動、拡大又は縮小させる編集処理を実行させ、
前記幅算出処理は、前記編集処理が実行される度に、前記編集処理後の前記オブジェクト領域内における前記画像オブジェクトの大きさに応じて前記特定の幅を算出する、
画像処理プログラム。
【請求項９】
請求項１〜請求項８のいずれか１項に記載の画像処理プログラムであって、
さらに、前記制御部に、
前記入力部を介して入力される移動操作に応じて、前記表示部に表示されている前記画像オブジェクトを移動させる移動処理と、
前記移動処理により前記画像オブジェクトが移動されている途中では前記ぼかし処理による前記画像オブジェクトのぼかしを一時的に無効にし、前記画像オブジェクトの移動が停止されると再び前記ぼかし処理によるぼかしを有効にする、ぼかし無効処理と、
を実行させる画像処理プログラム。
【請求項１０】
請求項１〜請求項８のいずれか１項に記載の画像処理プログラムであって、
前記入力部は、タッチパネルを備え、
前記画像処理プログラムは、さらに、
制御部に、
前記タッチパネルに対して指示体が接触されながら移動される移動操作に応じて、前記表示部に表示されている前記画像オブジェクトを移動させる移動処理と、
前記移動操作の開始後、前記ぼかし処理による前記画像オブジェクトのぼかしを一時的に無効にし、前記指示体が前記タッチパネルから離れると再び前記ぼかし処理によるぼかしを有効にする、ぼかし無効処理と、
を実行させる画像処理プログラム。
【請求項１１】
請求項１〜請求項１０のいずれか１項に記載の画像処理プログラムであって、
前記オブジェクト領域は、前記対象領域画像における一部の領域であって、
前記ぼかし処理は、前記画像オブジェクトの周縁のうち、前記対象領域画像における前記オブジェクト領域以外の空き領域に接する範囲はぼかさないように構成されている、
画像処理プログラム。
【請求項１２】
請求項１〜請求項１１の何れか１項に記載の画像処理プログラムであって、
前記印刷媒体は、データを記憶可能に構成された、円板状の形状を有する被記憶媒体であり、
前記印刷対象領域は、前記被記憶媒体における両面のうち一方の面に設けられている、
画像処理プログラム。
【請求項１３】
表示部と、
入力部と、
制御部と、
を備えた情報処理装置であって、
前記制御部は、
印刷媒体に設けられた印刷対象領域内に画像オブジェクトを印刷させるために前記画像オブジェクトを配置可能な領域を、前記入力部を介して選択させる領域選択処理と、
前記入力部を介して前記画像オブジェクトを選択させるオブジェクト選択処理と、
前記印刷媒体における前記印刷対象領域を示す対象領域画像を前記表示部に表示させ、その対象領域画像内のうち前記領域選択処理により選択された領域に対応するオブジェクト領域に、前記オブジェクト選択処理で選択された前記画像オブジェクトを配置させるオブジェクト配置処理と、
前記画像オブジェクトにおける周縁をぼかすぼかし処理と、
を実行する情報処理装置。
【請求項１４】
表示部を備えた情報処理装置で用いられる画像処理方法であって、
印刷媒体に設けられた印刷対象領域内に画像オブジェクトを印刷させるために前記画像オブジェクトを配置可能な領域を選択させる領域選択ステップと、
前記画像オブジェクトを選択させるオブジェクト選択ステップと、
前記印刷媒体における前記印刷対象領域を示す対象領域画像を前記表示部に表示させ、その対象領域画像内のうち前記領域選択ステップにより選択された領域に対応するオブジェクト領域に、前記オブジェクト選択ステップで選択された前記画像オブジェクトを配置させるオブジェクト配置ステップと、
前記画像オブジェクトにおける周縁をぼかすぼかしステップと、
を有する画像処理方法。
【発明の詳細な説明】
【技術分野】
【０００１】
本発明は、印刷媒体に印刷させる画像を処理する技術に関する。
【背景技術】
【０００２】
ＣＤやＤＶＤなどの情報記憶媒体におけるレーベル面に画像を印刷する技術が知られている。特許文献１には、レーベル面に印刷させる画像を情報処理装置で生成し、その生成した画像のデータを印刷装置へ送信することにより、生成した画像をレーベル面に印刷させる技術が開示されている。
【先行技術文献】
【特許文献】
【０００３】
【特許文献１】特開２０１１−７６６７４号公報
【発明の概要】
【発明が解決しようとする課題】
【０００４】
ユーザにとっては、生成した画像をレーベル面に見栄え良く印刷できることが望まれる。特に、レーベル面において画像が印刷される領域と画像が印刷されない余白領域とが混在する場合、画像の色と余白領域の色との違いによっては、両者の境界におけるコントラストや色の違いが大きくなってレーベル面の見栄えが損なわれる可能性がある。
【０００５】
本発明は上記課題に鑑みなされたものであり、印刷媒体に対して画像が見栄え良く印刷されるようにすることを目的とする。
【課題を解決するための手段】
【０００６】
本発明の画像処理プログラムは、表示部と、入力部と、制御部とを備えた情報処理装置において制御部が実行可能なプログラムである。画像処理プログラムは、制御部に、領域選択処理と、オブジェクト選択処理と、オブジェクト配置処理と、ぼかし処理とを実行させる。
【０００７】
領域選択処理は、印刷媒体に設けられた印刷対象領域内に画像オブジェクトを印刷させるために前記画像オブジェクトを配置可能な領域を、前記入力部を介して選択させる処理である。オブジェクト選択処理は、前記入力部を介して前記画像オブジェクトを選択させる処理である。オブジェクト配置処理は、前記印刷媒体における前記印刷対象領域を示す対象領域画像を前記表示部に表示させ、その対象領域画像内のうち前記領域選択処理により選択された領域に対応するオブジェクト領域に、前記オブジェクト選択処理で選択された前記画像オブジェクトを配置させる処理である。ぼかし処理は、前記画像オブジェクトにおける周縁をぼかす処理である。
【０００８】
このように構成された画像処理プログラムでは、オブジェクト領域に配置される画像オブジェクトの周縁がぼかされ、画像オブジェクトとこれに隣接する領域との境界があいまいな状態になる。そのため、印刷媒体に対して画像を見栄え良く印刷させることが可能となる。
【図面の簡単な説明】
【０００９】
【図１】実施形態のレーベル印刷システムの構成を示す構成図である。
【図２】レーベル作成処理のフローチャートである。
【図３】レイアウト選択画面、写真選択（アルバム）画面及び編集（レーベル編集）画面を示す説明図である。
【図４】ぼかし処理の具体的内容を説明するための説明図である。
【図５】図５（ａ）は編集画面においてオブジェクト画像を移動させることができることを示す説明図、図５（ｂ）は図３右とは異なるレイアウトが変更された場合の編集画面の一例を示す説明図である。
【図６】ぼかし処理の他の例を示す説明図である。
【発明を実施するための形態】
【００１０】
以下、本発明の実施形態について、図面を参照しながら説明する。
［１．実施形態］
（１−１）レーベル印刷システムの構成
図１に示すように、本実施形態のレーベル印刷システムは、情報処理装置１０と、印刷装置５とを備える。本実施形態のレーベル印刷システムは、ディスクメディア８のレーベル面８ａに画像を印刷させることが可能に構成されている。
【００１１】
より具体的に、本実施形態のレーベル印刷システムでは、レーベル面８ａに印刷させる画像を情報処理装置１０で生成し、その生成した画像を示す印刷データを印刷装置５へ送信することで、印刷装置５においてその印刷データが示す画像をレーベル面８ａに印刷させることができる。
【００１２】
なお、本実施形態のディスクメディア８は、例えばＣＤ、ＤＶＤなどの、データを記憶可能に構成された円板状の形状の被記憶媒体である。レーベル面８ａは、ディスクメディア８の両面のうち一方の面、即ち円状の平面領域である。レーベル面８ａの中央部には、画像を印刷できない同心円領域である中空の内円領域８ｂが、同心円状に設けられている。内円領域８ｂは、その一部又は全てが、板面に垂直方向に貫通された孔を有する。
【００１３】
（１−２）情報処理装置の構成
情報処理装置１０は、例えばスマートフォン、タブレット端末などの、無線通信可能な携帯型の通信端末である。図３、図５（ａ）、図５（ｂ）は、情報処理装置１０を正面視した状態を示している。
【００１４】
情報処理装置１０は、制御部１１と、記憶部１２と、表示部１３と、入力部１４と、第１無線通信部１５と、第２無線通信部１６と、外部Ｉ／Ｆ１７と、音声入出力部１８と、撮影部１９とを備える。これら各部は、バスライン２０を介して互いにデータの送受が可能に接続されている。なお、Ｉ／Ｆはインタフェース部の略称である。
【００１５】
制御部１１は、例えばＣＰＵを有する。記憶部１２は、例えばＲＯＭ、ＲＡＭ、ＮＶＲＡＭ、フラッシュメモリなどの半導体メモリを有する。即ち、本実施形態の情報処理装置１０は、ＣＰＵ及び半導体メモリを含むマイクロコンピュータを備えている。
【００１６】
制御部１１は、非遷移的実体的記録媒体に格納されたプログラムを実行することにより各種機能を実現する。本実施形態では、記憶部１２が、プログラムを格納した非遷移的実体的記録媒体に該当する。情報処理装置１０が有する各種機能は、基本的には、制御部１１が記憶部１２に記憶されているプログラムを実行することにより実現される。なお、制御部１１により実現される各種機能は、プログラムの実行によって実現することに限るものではなく、その一部又は全部について、一つあるいは複数のハードウェアを用いて実現してもよい。
【００１７】
記憶部１２には、各種のソフトウェアやデータが記憶されている。本実施形態では、記憶部１２に、ソフトウェアとして、ＯＳ（オペレーティングシステムの略称）１２ａと、レーベル作成アプリ１２ｂと、印刷アプリ１２ｃとが記憶されている。ＯＳ１２ａ、レーベル作成アプリ１２ｂ及び印刷アプリ１２ｃは、制御部１１を含むコンピュータシステムにインストールされている。
【００１８】
また、記憶部１２には、後述する図３中央の写真選択画面４０において選択可能な画像オブジェクトのデータも記憶されている。
なお、以下の説明では、プログラムを実行する制御部１１（詳しくは制御部１１が有する不図示のＣＰＵ）のことを、単にプログラム名で記載する場合もある。例えば「レーベル作成アプリ１２ｂは」という記載が「レーベル作成アプリ１２ｂを実行するＣＰＵは」を意味する場合もある。
【００１９】
レーベル作成アプリ１２ｂは、レーベル面８ａに印刷させる画像の画像データを生成することが可能なアプリケーションソフトである。レーベル作成アプリ１２ｂは、記憶部１２に記憶されている画像オブジェクトの中からユーザにより選択された画像オブジェクトを少なくとも含む画像の画像データを生成することができる。
【００２０】
印刷アプリ１２ｃは、レーベル作成アプリ１２ｂで生成された画像データを印刷装置５で処理可能な特定のデータ形式の印刷データに変換して印刷装置５へ送信させることが可能なアプリケーションソフトである。なお、レーベル作成アプリ１２ｂは、印刷アプリ１２ｃのプラグインとして提供されてもよい。
【００２１】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、タッチパネル１４ａが含まれる。タッチパネル１４ａは、表示部１３が有する表示デバイスにおける画像の表示領域２５（図３参照）に重畳配置される。
【００２２】
タッチパネル１４ａは、表示部１３における画像の表示領域に対する、指先やペンなどの指示体による、特定の位置を指示する指示操作を検出することが可能に構成された入力装置である。ここでいう「指示」とは、指示体が接触すること及び近接することの少なくとも一方を含む。タッチパネル１４ａは、指示体による指示操作が行われると、指示操作が行われた位置を示す操作検出信号を出力する。
【００２３】
制御部１１は、タッチパネル１４ａから出力される操作検出信号に基づいて、指示体検出処理を行う。指示体検出処理は、指示体による指示操作の有無、指示操作がなされた位置、指示操作の具体的種類などを検出する処理である。指示体検出処理は、例えばＯＳ１２ａによって行われてその処理結果がレーベル作成アプリ１２ｂ及び印刷アプリ１２ｃへ通知されるようにしてもよい。また例えば、指示体検出処理は、レーベル作成アプリ１２ｂ及び印刷アプリ１２ｃの各々が操作検出信号に基づいて行うようにしてもよい。指示体検出処理によって検出可能な指示操作の種類として、本実施形態では、例えば、タップ、ドラッグ、フリック、ピンチイン、ピンチアウトなどがある。
【００２４】
外部Ｉ／Ｆ１７は、書き換え可能な不揮発性の記憶媒体（不図示）が装着されるインタフェース部であり、装着された記憶媒体に対するデータの書き込み及び読み出しを制御する。音声入出力部１８は、マイクやスピーカなどで構成された音声入出力用デバイスである。撮影部１９は、いわゆるデジタルカメラとしての機能を担うものであり、画像を撮影してその画像を示す画像データを生成することができる。撮影部１９で撮影された画像データは、例えば記憶部１２に記憶される。
【００２５】
第１無線通信部１５は、例えば、無線ＬＡＮ規格による通信（以下「無線ＬＡＮ通信」と称す）を行うためのインタフェース部である。本実施形態では、第１無線通信部１５が行う無線ＬＡＮ通信は、ＩＥＥＥ８０２．１１ｂ／ｇ／ｎの規格に準拠した無線ＬＡＮ通信である。
【００２６】
情報処理装置１０は、第１無線通信部１５を介して、印刷装置５と無線ＬＡＮ通信を行うことができる。印刷アプリ１２ｃで生成された印刷データは、本実施形態では、無線ＬＡＮ通信にて印刷装置５へ送信される。なお、印刷装置５との無線ＬＡＮ通信は、いわゆるアドホックモードにて直接行うことが可能であり、且つ、いわゆるインフラストラクチャモードにて不図示の中継装置を経由して行うことも可能である。
【００２７】
第２無線通信部１６は、不図示の移動通信網を介した音声通話やデータ通信を行うためのインタフェース部である。第２無線通信部１６は、例えば、ＬＴＥ規格による無線通信を行うことが可能な構成であってもよい。なお、「ＬＴＥ」は、「Ｌｏｎｇ  Ｔｅｒｍ  Ｅｖｏｌｕｔｉｏｎ」の略称である。
【００２８】
（１−３）印刷装置の構成
印刷装置５は、情報処理装置１０から受信された印刷データに基づく画像をディスクメディア８のレーベル面８ａに印刷可能なレーベル印刷機能を有する。印刷装置５は、情報処理装置１０から、印刷媒体としてディスクメディア８が指定された印刷データが受信されると、その印刷データが示す画像を、ディスクメディア８のレーベル面８ａに印刷する。
【００２９】
印刷装置５は、インクジェット技術又は電子写真技術を用いた印刷機構を有し、入力された印刷データが示す画像を印刷機構によって各種の印刷媒体に印刷することが可能に構成されている。また、印刷装置５は、情報処理装置１０を含む他の各種装置と無線ＬＡＮ通信を行うことができる。
【００３０】
情報処理装置１０から印刷装置５への印刷データの送信は、例えば上述の無線ＬＡＮ通信によって行われてもよいし、無線ＬＡＮ通信とは異なる他の通信方式によって行われてもよい。他の通信方式には、例えば、ＮＦＣ規格による無線通信、上述のＬＴＥ規格による無線通信、有線ＬＡＮによる有線通信などが含まれる。なお、「ＮＦＣ」は、「Ｎｅａｒ  Ｆｉｅｌｄ  Ｃｏｍｍｕｎｉｃａｔｉｏｎ」の略称である。
【００３１】
（１−４）レーベル作成処理
レーベル作成アプリ１２ｂに基づいて制御部１１が実行するレーベル作成処理について、図２を用いて説明する。なお、図２は、説明の簡素化のため、レーベル作成処理全体のうち、レーベル面８ａに印刷させる画像を確定させるまでの処理を抽出して示しており、印刷させる画像が確定された後の処理は省略している。
【００３２】
制御部１１は、起動後、レーベル作成アプリ１２ｂの起動操作が行われた場合、レーベル作成アプリ１２ｂを実行する。制御部１１は、レーベル作成アプリ１２ｂを開始すると、Ｓ１１０で、レイアウト選択処理を行う。具体的に、図３左に例示するレイアウト選択画面３０を表示領域２５に表示させる。
【００３３】
レイアウト選択画面３０は、レーベル面８ａに印刷させる画像オブジェクトのレイアウト、即ちレーベル面８ａにおける画像オブジェクト配置可能な領域を、複数種類のレイアウトの中からユーザに１つ選択させるための画面である。
【００３４】
レイアウト選択画面３０には、選択可能な複数種類のレイアウト毎の画像が表示される。図３左には、一例として、レイアウト選択画面３０に、６種類のレイアウトの各々に対応した６種類のレイアウト画像３１〜３６が表示されている例が示されている。
【００３５】
６種類のレイアウトには、例えば、レーベル面８ａの全面に画像オブジェクトを配置可能な全面レイアウトや、レーベル面８ａの上半分又は下半分の半円領域に画像オブジェクトを配置可能な半円レイアウトなどが含まれる。また、全面レイアウト及び半円レイアウトのいずれも、さらに、テキストを配置可能なレイアウトとテキストを配置できないレイアウトに分類されている。
【００３６】
ユーザは、レイアウト選択画面３０に表示されている複数のレイアウト画像３１〜３６のうちいずれか１つをタップすることで、そのタップしたレイアウト画像に対応したレイアウトを選択することができる。
【００３７】
Ｓ１１０では、レイアウト選択画面３０に対する、ユーザによるレイアウトの選択を受け付ける。そして、レイアウト選択画面３０に表示されている複数のレイアウト画像３１〜３６のうち１つがタップされた場合、そのタップされたレイアウト画像に対応したレイアウトを、印刷用レイアウトに設定する。
【００３８】
Ｓ１２０では、画像オブジェクト選択処理を行う。具体的に、図３中央に例示する写真選択画面４０を表示させる。写真選択画面４０は、レーベル面８ａに印刷させる画像オブジェクトをユーザに選択させるための画面である。
【００３９】
写真選択画面４０には、例えば、記憶部１２の所定フォルダに記憶されている写真のデータのサムネイルが一覧表示される。図３中央は、写真選択画面４０に８個のサムネイル４１〜４８が表示されている例が示されている。
【００４０】
ユーザは、レーベル面８ａに印刷させたい写真のサムネイルをタップ操作することで、そのサムネイルに対応した写真オブジェクトを、画像オブジェクトとして選択することができる。
【００４１】
Ｓ１２０では、写真選択画面４０に表示されている複数のサムネイルのうち１つがタップ操作された場合、そのタップ操作されたサムネイルに対応した写真を、レーベル面８ａに印刷させる画像オブジェクトに設定する。
【００４２】
なお、画像オブジェクトとして選択可能な画像のデータ形式は、適宜決めて良い。例えば、ＪＰＥＧ、ＰＤＦ、その他の複数のデータ形式の画像を画像オブジェクトとして選択可能であってもよい。
【００４３】
制御部１１は、Ｓ１２０で画像オブジェクトが設定されると、次に、図３右に例示する編集画面５０を表示させるための、Ｓ１３０〜Ｓ１６０に示す各種の準備処理を行う。
編集画面５０には、レーベル面８ａの範囲を示す円形の対象領域画像５１が表示される。対象領域画像５１の中心部には、ディスクメディア８に設けられた内円領域８ｂを示す内円画像５２が配置される。また、対象領域画像５１には、対象領域画像５１における互いに直交した２つの直径に対応する水平補助線５１ａ及び垂直補助線５１ｂが含まれる。
【００４４】
また、対象領域画像５１には、レイアウト選択画面３０で設定された印刷用レイアウトに対応したオブジェクト領域５３が設定され、そのオブジェクト領域５３に、写真選択画面４０で設定された画像オブジェクト６０が配置される。
【００４５】
図３右は、一例として、印刷用レイアウトが全面レイアウトである場合を示している。この場合、対象領域画像５１の全領域が、画像オブジェクト６０を配置可能なオブジェクト領域５３に設定される。
【００４６】
編集画面５０に切り替わった直後の初期状態では、画像オブジェクト６０は、例えば図３右に示すように、オブジェクト領域５３に対して初期サイズで初期位置に配置される。即ち、図３右は、画像オブジェクト６０が、画像オブジェクト６０の全体がオブジェクト領域５３内に含まれるような初期サイズ及び初期位置に配置されている例を示している。
【００４７】
この場合、オブジェクト領域５３内には、画像オブジェクト６０が存在しない余白領域５５が生じる。
なお、初期サイズ及び初期位置は適宜決めて良い。例えば、画像オブジェクト６０の一部がオブジェクト領域５３からはみ出てオブジェクト領域５３内に表示されないような初期サイズ及び初期位置であってもよい。また例えば、オブジェクト領域５３全体が画像オブジェクト６０内に含まれて余白領域５５が生じないような初期サイズ及び初期位置であってもよい。
【００４８】
設定された印刷用レイアウトが全面レイアウトではない場合、即ち、例えば図５（ｂ）に示す半円レイアウトのように、対象領域画像５１において画像オブジェクト６０を配置できない空き領域が存在する場合は、その空き領域がレーベル背景領域５４として設定される。
【００４９】
制御部１１は、Ｓ１２０の処理の後、編集画面５０を表示させるための準備処理として、まずＳ１３０で、余白領域５５に配色する余白色を算出する。本実施形態では、例えば、対象領域画像５１内に表示させる画像オブジェクト６０で用いられている色のうち最も多く用いられている最多色を、余白色として算出する。
【００５０】
なお、余白色は、他の方法で算出してもよい。例えば、ユーザにより予め登録されている色を余白色に設定してもよい。また例えば、最多色の次に多く用いられている次点色を余白色として算出してもよい。なお、最多色及び次点色は、画像オブジェクト６０の全体から求めてもよいし、画像オブジェクト６０のうち上記の初期サイズ及び初期位置にて対象領域画像５１内に表示される範囲、即ち実際にレーベル面８ａに印刷される範囲から求めてもよい。
【００５１】
Ｓ１４０では、画像オブジェクト６０のサイズを算出する。ここで算出する画像オブジェクト６０のサイズは、画像オブジェクト６０全体のうち、上記の初期サイズ及び初期位置にて対象領域画像５１内に表示される範囲のサイズである。具体的に、図４に示すように、画像オブジェクト６０における横方向の長さである表示横幅Ｗｈを、画像オブジェクト６０のサイズとして算出する。
【００５２】
なお、画像オブジェクト６０における縦方向の長さである表示縦幅Ｗｖを画像オブジェクト６０のサイズとして算出してもよい。或いは、表示横幅Ｗｈと表示縦幅Ｗｖの平均値を算出するなど、表示横幅Ｗｈと表示縦幅Ｗｖの双方を加味したサイズを算出してもよい。
【００５３】
Ｓ１５０では、ぼかし領域６１を算出する。ぼかし領域６１は、画像オブジェクト６０の周縁に設定される領域である。より具体的に、ぼかし領域６１は、画像オブジェクト６０の周縁全体のうち対象領域画像５１内に存在する周縁、即ち余白領域５５に接して余白領域５５との境界をなす周縁に対して設定される。
【００５４】
ぼかし領域６１は、実際の画像に対してぼかし処理が行われることにより実際の画像がぼかされて表示される領域である。本実施形態では、ぼかし領域６１は、画像オブジェクト６０の外周端６０ａから特定の幅の領域に設定される。
【００５５】
即ち、例えば図４に示すように、画像オブジェクト６０における４辺のうち左右２辺の周縁においては、外周端６０ａから周縁横幅Ｗｈｅの幅の範囲がぼかし領域６１に設定される。また、画像オブジェクト６０における４辺のうち上下２辺の周縁においては、外周端６０ａから周縁縦幅Ｗｖｅの幅の範囲がぼかし領域６１に設定される。
【００５６】
本実施形態では、周縁横幅Ｗｈｅと周縁縦幅Ｗｖｅは同じ長さである。また、周縁横幅Ｗｈｅと周縁縦幅Ｗｖｅは、Ｓ１４０で算出された画像オブジェクト６０のサイズ、即ち表示横幅Ｗｈに基づいて、算出される。具体的に、本実施形態では、画像オブジェクト６０のサイズＷｈのＧ１％の長さを、周縁横幅Ｗｈｅ及び周縁縦幅Ｗｖｅとして算出する。Ｇ１はどのような値でもよく、例えば４％であってもよい。
【００５７】
図４に示す例では、画像オブジェクト６０に対し、周縁の全範囲に渡って、外周端６０ａからＷｈｅ（＝Ｗｖｅ）の範囲内の領域が、ぼかし領域６１として算出される。
Ｓ１６０では、画像オブジェクト６０の周縁に対するぼかし処理を行う。より具体的には、Ｓ１５０で算出したぼかし領域６１に対するぼかし処理を行う。
【００５８】
本実施形態のぼかし処理は、ぼかし領域６１内の画像オブジェクト６０に対し、余白色を、特定の透過率にて画像オブジェクト６０が透過して表示されるように重畳配色させる処理である。
【００５９】
透過率は、例えばよく知られているアルファ値を用いて設定してもよい。本実施形態では、透過率が０％〜１００％のいずれかに設定され得る。透過率が０％の場合は、画像オブジェクト６０は全く透過されず、表示されない。透過率が大きくなるほど、画像オブジェクト６０がより鮮明に表示されるようになる。透過率が１００％になると、画像オブジェクト６０が全て透過され、余白色は表示されない。
【００６０】
ぼかし領域６１に対して余白色をどのような透過率で配色するかについては適宜決めてよい。本実施形態では、外周端６０ａから画像オブジェクト６０の内部に向けて透過率が徐々に増加される。例えば、外周端６０ａに最も近い一定幅の領域の透過率が５％とされ、そこから一定幅間隔で透過率が例えば５％ずつ増加される。ぼかし領域６１における、外周端６０ａから最も離れている領域の透過率は例えば９５％である。
【００６１】
制御部１１は、Ｓ１６０で画像オブジェクト６０周縁のぼかし領域６１に対するぼかし処理を行った後、Ｓ１７０で、図３右に例示するように、そのぼかし処理が行われた画像オブジェクト６０を含む編集画面５０を表示させる。Ｓ１７０では、余白領域５５に対し、Ｓ１３０で算出した余白色を配色する処理も行う。
【００６２】
Ｓ１８０では、編集画面５０に表示される完了ボタン５７がタップされたか否か判断する。完了ボタン５７がタップされた場合は、対象領域画像５１内に表示されている、画像オブジェクト６０を含む画像全体を、レーベル面８ａに印刷させる画像に決定する。そして、その決定した画像を印刷装置５で印刷させるための不図示の処理に移行する。
【００６３】
Ｓ１８０で、完了ボタン５７がタップされていない場合は、Ｓ１９０に移行する。Ｓ１９０では、編集画面５０に対する、完了ボタン５７をタップすること以外のユーザ操作がなされたか否か判断する。完了ボタン５７をタップすること以外のユーザ操作には、例えば、レイアウト変更ボタン５６をタップする操作、余白領域５５をタップすることにより余白色の変更を要求する操作、及び画像オブジェクト６０を移動、拡大又は縮小させる操作がある。
【００６４】
完了ボタン５７をタップすること以外のユーザ操作がなされた場合は、Ｓ２００に移行する。Ｓ２００では、ユーザ操作の内容を判断する。
Ｓ２００で、余白領域５５がタップされた場合は、Ｓ２１０に移行する。Ｓ２１０では、不図示の余白色選択パレットを表示させることによって、複数の色の中からいずれか一色をユーザに選択させる。そして、余白色を、選択された色に変更する。
【００６５】
Ｓ２２０では、Ｓ２１０で変更された余白色に基づいて、あらためて、対象領域画像５１内に表示されている画像オブジェクト６０に対するぼかし処理を行う。つまり、Ｓ２１０で変更された余白色に基づき、Ｓ１６０と同様の処理を行う。これにより、ぼかし領域６１が、変更後の余白色を用いた色でぼかされる。
【００６６】
Ｓ２３０では、Ｓ２２０でぼかし処理が行われた画像オブジェクト６０を編集画面５０に表示させる。Ｓ２３０の処理後はＳ１８０に移行する。
Ｓ２００で、レイアウト変更ボタン５６がタップされた場合は、Ｓ３００に移行する。Ｓ３００では、レイアウトの変更を受け付ける。具体的に、図３左に例示したレイアウト選択画面３０を表示させ、ユーザに何れかのレイアウトを選択させる。そして、選択されたレイアウトを印刷用レイアウトに再設定し、その印刷用レイアウトに応じたオブジェクト領域５３内に、初期サイズ及び初期位置にて画像オブジェクト６０を表示させる。
【００６７】
例えば、上半分の半円領域を示す半円レイアウトが選択された場合は、図５（ｂ）に例示するような編集画面５０に切り替わる。図５（ｂ）の編集画面５０においては、レイアウトが半円レイアウトに変更されたことに伴い、対象領域画像５１のうち上半分の領域がオブジェクト領域５３に設定され、下半分の領域はレーベル背景領域５４に設定される。
【００６８】
そして、上半分のオブジェクト領域５３内に、半円レイアウトに対応した初期サイズ及び初期位置にて画像オブジェクト６０が表示される。半円レイアウトに対応した初期サイズ及び初期位置は、例えば、図５（ｂ）に示すように、画像オブジェクト６０の全体がオブジェクト領域５３内に存在し、画像オブジェクト６０の下辺が水平補助線５１ａに接し、画像オブジェクト６０の下辺中央が対象領域画像５１の中心に位置し、且つ画像オブジェクト６０の４つの頂点がいずれも対象領域画像５１の外周に内接しないように設定されている。
【００６９】
Ｓ３００でレイアウトが変更された場合、Ｓ２６０で、変更後のレイアウトにおいて初期サイズ及び初期位置で表示されている画像オブジェクト６０のサイズを算出する。具体的には、Ｓ１４０と同様に算出する。
【００７０】
Ｓ２７０では、Ｓ２６０で算出したサイズに基づき、Ｓ１５０と同様にぼかし領域６１を算出する。
Ｓ２８０では、Ｓ２７０で算出したぼかし領域６１に対し、Ｓ１６０と同様にぼかし処理を行う。なお、半円レイアウトにおいて、画像オブジェクト６０がレーベル背景領域５４と接する場合は、そのレーベル背景領域５４と接する範囲については、図５（ｂ）に示すように、ぼかし処理は行わない。図５（ｂ）は、画像オブジェクト６０の周縁４辺のうち、レーベル背景領域５４に接しない３辺において、ぼかし処理が行われている例を示している。
【００７１】
Ｓ２９０では、Ｓ２８０でぼかし処理が行われた画像オブジェクト６０を編集画面５０に表示させる。Ｓ２９０の処理後はＳ１８０に移行する。
Ｓ２００で、画像オブジェクト６０を移動、拡大又は縮小させる編集操作が開始された場合は、Ｓ２４０に移行する。
【００７２】
本実施形態では、ユーザは、編集画面５０に表示されている画像オブジェクト６０を移動、拡大及び縮小させることができる。ユーザは、画像オブジェクト６０を例えばドラッグ操作することで、そのドラッグ操作の方向へ画像オブジェクト６０を移動させることができる。例えば、図３右に示す状態から、ユーザにより画像オブジェクト６０が右上方向へドラッグ操作されると、図５（ａ）に示すように、ドラッグ操作に追随して画像オブジェクト６０が右上方向へ移動される。
【００７３】
また、ユーザは、画像オブジェクト６０を例えばピンチアウト操作することで、画像オブジェクト６０を拡大させることができる。また、ユーザは、画像オブジェクト６０を例えばピンチイン操作することで、画像オブジェクト６０を縮小させることができる。
【００７４】
移動、拡大又は縮小させることによって、画像オブジェクト６０の一部が対象領域画像５１内からはみ出た場合、そのはみ出た部分は、レーベル面８ａに印刷されない。なお、編集画面５０において、そのはみ出た部分は表示されないようにしてもよいし、はみ出た部分についても表示されるようにしてもよい。本実施形態では、図５（ａ）に例示するように、はみ出た部分は表示されないように構成されている。
【００７５】
Ｓ２４０では、ユーザによる編集操作の内容に応じて、画像オブジェクト６０を移動、拡大又は縮小させる。ユーザにより編集操作が行われている間、即ち指示体がタッチパネル１４ａに接触しながら移動している間は、ぼかし処理を一時的に無効化して、ぼかし領域６１についてもぼかさずに表示させる。
【００７６】
Ｓ２５０では、移動、拡大又は縮小の操作が完了したか否か、即ち、指示体がタッチパネル１４ａから離間して指示操作が行われなくなったか否かを判断する。指示体がタッチパネル１４ａから離間していない場合は、Ｓ２４０に移行し、引き続き、指示体の移動に応じて画像オブジェクト６０を移動、拡大又は縮小させる。指示体がタッチパネル１４ａから離間した場合は、Ｓ２６０に移行する。
【００７７】
なお、移動、拡大又は縮小の操作が開始された後、指示体がタッチパネル１４ａに接触している間は、指示体が移動しているか否かにかかわらず継続してぼかし処理を無効化してもよい。或いは、指示体が停止している間はぼかし処理を有効化し、指示体が動き出したら再びぼかし処理を無効化してもよい。
【００７８】
Ｓ２４０〜Ｓ２５０の処理によって画像オブジェクト６０が移動、拡大又は縮小された場合、Ｓ２６０移行の処理が行われる。即ち、移動、拡大又は縮小された後の画像オブジェクト６０の位置及びサイズ等に基づいて、ぼかし領域６１が再算出され、その再算出されたぼかし領域６１に対してぼかし処理が行われる。
【００７９】
移動、拡大等によって、例えば図５（ａ）に示すように、画像オブジェクト６０の一部が対象領域画像５１内からはみ出た場合、対象領域画像５１内の画像オブジェクト６０の周縁における、対象領域画像５１の外周に接する範囲は、ぼかし処理は行われない。本実施形態では、ぼかし処理が行われるのは、画像オブジェクト６０の周縁のうち余白領域５５に隣接する範囲である。
【００８０】
このように、本実施形態では、編集画面５０が表示されて画像オブジェクト６０が初期サイズ及び初期位置にて表示された後、ユーザによりレイアウトが変更されたり、余白色が変更されたり、画像オブジェクト６０が移動、拡大又は縮小されたりした場合は、その都度、ぼかし処理が更新される。
【００８１】
（１−５）実施形態の効果
以上説明した実施形態によれば、以下の（ａ）〜（ｆ）の効果を奏する。
（ａ）本実施形態では、画像オブジェクト６０の周縁に対してぼかし処理が行われ、これにより、画像オブジェクト６０とこれに隣接する領域との境界があいまいな状態になる。そのため、印刷媒体に対して画像オブジェクト６０を見栄え良く印刷させることが可能となる。
【００８２】
（ｂ）ぼかし処理は、画像オブジェクト６０の周縁全体ではなく、周縁のうち、オブジェクト領域５３内における余白領域５５に接する範囲に対して行われる。そのため、ぼかし処理を効率的に行うことができる。
【００８３】
（ｃ）ぼかし処理は、隣接する余白領域５５に配色される余白色を用いて行われる。そのため、画像オブジェクト６０と余白領域５５との境界が適度に曖昧な状態にされ、ぼかし処理による視覚的効果を高めることができる。
【００８４】
（ｄ）ぼかし処理は、余白色を特定の透過率で重畳させることにより行われる。また、ぼかし処理が行われるぼかし領域６１は、画像オブジェクト６０のサイズに応じて決定される。そのため、画像オブジェクト６０のサイズに応じた適切な範囲に対して容易にぼかし処理を施すことができる。
【００８５】
（ｅ）ユーザにより画像オブジェクト６０が移動、拡大又は縮小されている間は、ぼかし処理が一時的に無効化される。そのため、ユーザは、画像オブジェクト６０の外縁を明確に把握しながら移動、拡大又は縮小させることができる。
【００８６】
（ｆ）ユーザにより画像オブジェクト６０が移動、拡大又は縮小される度に、その移動、拡大又は縮小された後の画像オブジェクト６０のサイズ、位置等に応じてあらためてぼかし処理が行われる。そのため、画像オブジェクト６０のサイズ、大きさに応じた適切なぼかし処理が施された画像オブジェクト６０を印刷媒体に印刷させることができる。
【００８７】
ここで、本実施形態の文言と特許請求の範囲の文言との対応関係について説明する。
ディスクメディア８は印刷媒体に相当する。レーベル面８ａは印刷対象領域に相当する。編集画面５０における、画像オブジェクト６０を移動させるためのドラッグ操作、及び画像オブジェクト６０を拡大、縮小させるためのピンチアウト操作、ピンチイン操作は、編集操作に相当し、このうち特にドラッグ操作は移動操作にも相当する。レーベル背景領域５４は空き領域に相当する。
【００８８】
また、Ｓ１１０の処理は領域選択処理に相当する。Ｓ１２０の処理はオブジェクト選択処理に相当する。Ｓ１３０及びＳ１７０の処理は余白処理に相当し、Ｓ１７０の処理はオブジェクト配置処理にも相当する。Ｓ１５０及びＳ２７０の処理は幅算出処理に相当する。Ｓ１６０の処理はぼかし処理に相当する。Ｓ２４０の処理は、編集処理、移動処理及びぼかし無効処理に相当する。
【００８９】
［２．他の実施形態］
以上、本発明の実施形態について説明したが、本発明は上述の実施形態に限定されることなく、種々変形して実施することができる。
【００９０】
（２−１）ぼかし処理は、上記実施形態とは異なる処理方法を用いて行ってもよい。例えば、重畳させる余白色の透過率をどのように変化させるかについては適宜決めてよい。
例えば、外周端６０ａからの距離と透過率とが線形関係を有するようにしてもよい。或いは、外周端６０ａからの距離と透過率とが非線形の関係を有するようにしてもよい。或いは、ぼかし領域６１の全範囲に渡って同じ透過率であってもよい。
【００９１】
また、そもそも余白色を特定の透過率で重畳配色する方法とは異なる方法でぼかし処理を行ってもよい。
例えば、図６に示すぼかし領域７１のように、余白色を混色させるようにし、且つ、余白色を混色させる割合を、外周端に近付くにつれて大きくしていくようにしてもよい。
【００９２】
（２−２）ぼかし領域６１の範囲、即ち周縁横幅Ｗｈｅ及び周縁縦幅Ｗｖｅは、どのような方法で算出してもよい。
例えば、周縁横幅Ｗｈｅ及び周縁縦幅Ｗｖｅを、表示縦幅Ｗｖに応じた幅に設定してもよい。具体的に、表示縦幅ＷｖのＧ２％の幅を周縁横幅Ｗｈｅ及び周縁縦幅Ｗｖｅに設定してもよい。
【００９３】
また例えば、画像オブジェクト６０全体の横幅又は画像オブジェクト６０全体の縦幅に応じて周縁横幅Ｗｈｅ及び周縁縦幅Ｗｖｅを算出してもよい。
また例えば、画像オブジェクト６０の位置や大きさにかかわらず、周縁横幅Ｗｈｅ及び周縁縦幅Ｗｖｅのうち少なくとも一方を一定値に固定してもよい。
【００９４】
周縁横幅Ｗｈｅと周縁縦幅Ｗｖｅとは、同じ値であってもよいし、異なる値であってもよい。例えば、周縁横幅Ｗｈｅを表示横幅ＷｈのＧ３％とし、周縁縦幅Ｗｖｅを表示縦幅ＷｖのＧ４％としてもよい。
【００９５】
また、余白領域５５と接する周縁の全範囲に渡ってぼかすことは必須ではなく、余白領域５５に接していても部分的にぼかさない領域があってもよい。
逆に、余白領域５５と接しない周縁（例えば対象領域画像５１の外周に接する周縁もぼかしてもよい。
【００９６】
（２−３）本発明における印刷媒体は、ディスクメディア８以外の他の印刷媒体であってもよい。また、本発明における情報処理装置は、上記実施形態で示した携帯型の情報処理装置１０以外の他の情報処理装置であってもよい。
【００９７】
（２−４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【００９８】
５…印刷装置、８…ディスクメディア、８ａ…レーベル面、８ｂ…内円領域、１０…情報処理装置、１１…制御部、１２…記憶部、１２ｂ…レーベル作成アプリ、１２ｃ…印刷アプリ、１３…表示部、１４…入力部、１４ａ…タッチパネル、１５…第１無線通信部、２５…表示領域、３０…レイアウト選択画面、３１〜３６…レイアウト画像、４０…写真選択画面、４１〜４８…サムネイル、５０…編集画面、５１…対象領域画像、５３…オブジェクト領域、５４…レーベル背景領域、５５…余白領域、５６…レイアウト変更ボタン、５７…完了ボタン、６０…画像オブジェクト、６０ａ…外周端、６１，７１…ぼかし領域。
【図１】
2019103105.tif 000003
【図２】
2019103105.tif 000004
【図３】
2019103105.tif 000005
【図４】
2019103105.tif 000006
【図５】
2019103105.tif 000007
【図６】
2019103105.tif 000008